(57)【特許請求の範囲】
【請求項１】
居室部分と、水周りの設備機器を配置した設備室部分を有する建物の床構造であって、前記床構造が、床梁と、床梁に支持されて設けられた床下地板と、床下地板の上に設けられた床面を形成する床面材とを備え、居室部分と設備室部分との床面材上面が略同一面になされており、居室部分と設備室部分との床梁上面高さについても略同一高さになされており、
居室部分と設備室部分共に、床下地板が床梁上面に設けられ、
居室部分の床下地板を設備室部分の床下地板より厚くすることにより生じる、床下地板の厚み差部分により設備機器の配管を配設可能な床下配管空間が形成されていることを特徴とする建物の床構造。
【請求項２】
前記床下配管空間が、床下地板の上に床支持材を介して床面材が設けられることにより維持されていることを特徴とする請求項１に記載の建物の床構造。
【請求項３】
居室部分の床下地板の厚みが設備室部分の床下地板の厚みの略１．５倍になされていることを特徴とする請求項１又は請求項２に記載の建物の床構造。
【請求項４】
前記建物は、複数階の集合住宅であって、上階住戸の居室部分と設備室部分のそれぞれの真下に、ほぼ同一の平面プランになされた下階住戸の居室部分と設備室部分とが配置されていることを特徴とする請求項１〜３のいずれかに記載の建物の床構造。
【発明の詳細な説明】
【０００１】
【発明の属する技術分野】
本発明は、建物の床構造に関する。
【０００２】
【従来の技術】
従来、建物の床構造として、特公平８−６３７６号公報に記載のものがある。
この公報に記載のものは、住戸ユニットの床構造であって、床面を形成する床面材と、床梁間の全面に渡って配設され、根太材を介して前記床面材を支持する床下地板（上記公報では床下版）とで構成され、トイレや浴槽等が配設された設備室部分の床下地板を床梁の最下部に位置させ、床面材と床下地板との間に水回り配管が配設可能な床下配管空間を設けるようにしたものである。
【０００３】
【発明が解決しようとする課題】
ところで、前記公報記載の建物の床構造においては、設備室部分と居室部分の床下地板が同じ厚みになされ、居室部分の床衝撃音に対して配慮されていないので、隣接する居住部分、特に下階部分に床衝撃音が伝幡し易いという問題がある。
【０００４】
また、床面材と床下地板との間に床下配管空間を設けるために、設備室部分の床下地板を床梁の最下部に位置させ、床下配管空間を設ける必要のない居室部分の床下地板を床梁の中間部に位置させているので、床梁にとって不利な捩じれ応力が発生するという構造上の問題と、設備室部分では、コ字状のチャンネル材で形成された床梁の開放部側に断面Ｌ字状の受け材を溶接等により固定し、居室部分では、床梁の開放部側に断面Ｔ字状の受け材を溶接等により固定しているので、床構造を形成するのに多くの構成部材を必要とするという問題が生じる。
【０００５】
本発明は、このような問題に鑑みてなされたものであって、その目的とするところは、居室部分の床衝撃音を低減でき、床梁に不利な応力の発生がなく、構成部材も低減できる建物の床構造を提供することにある。
【０００６】
【課題を解決するための手段】
前記目的を達成すべく、請求項１記載の本発明は、居室部分と、水周りの設備機器を配置した設備室部分を有する建物の床構造であって、前記床構造が、床梁と、床梁に支持されて設けられた床下地板と、床下地板の上に設けられた床面を形成する床面材とを備え、居室部分と設備室部分との床面材上面が略同一面になされており、居室部分と設備室部分との床梁上面高さについても略同一高さになされており、居室部分と設備室部分共に、床下地板が床梁上面に設けられ、居室部分の床下地板を設備室部分の床下地板より厚くすることにより生じる、床下地板の厚み差部分により設備機器の配管を配設可能な床下配管空間が形成されていることを特徴とする。
【０００７】
請求項２記載の本発明は、請求項１記載の建物の床構造において、前記床下配管空間が、床下地板の上に床支持材を介して床面材が設けられることにより維持されていることを特徴とする。
【０００８】
上記請求項２記載の発明において、床支持材とは、床面材の裏面に沿って横架される床根太材であってもよいし、床面材の裏面と直交する方向に立設される床支持脚であってもよい。
床支持材を床支持脚とすると、床面材を点状に支持するので、配管敷設の自由度が向上して好ましい。
【０００９】
請求項３記載の本発明は、請求項１または２記載の建物の床構造において、居室部分の床下地板の厚みが設備室部分の床下地板の厚みの略１．５倍になされていることを特徴とする。
【００１０】
請求項４記載の本発明は、請求項１〜３のいずれか１項に記載の建物の床構造において、前記建物は、複数階の集合住宅であって、上階住戸の居室部分と設備室部分のそれぞれの直下に、ほぼ同一の平面プランになされた下階住戸の居室部分と設備室部分とが配置されていることを特徴とする。
【００１１】
（作用）
請求項１記載の建物の床構造によると、居室部分の床下地板が、水回りの設備機器を設置した設備室部分の床下地板より厚くなされているので、居室部分の床面材上で発生した床衝撃音が厚くなされた床下地板で遮断され、居室部分の床衝撃音を低減できる。
【００１２】
請求項２記載の建物の床構造によると、さらに、設備室部分の床面材は、床支持材を介して設備室部分の床下地板の上に設けられ、設備室部分の床面材と床下地板との間に、設備機器の配管を配設可能な床下配管空間が形成されているので、前記した従来技術のように、床梁に受け材を設ける必要がなく、床構造を簡素化できる。
【００１３】
請求項３記載の建物の床構造によると、床下地板の厚みが１．５倍になることで、質量も１．５倍となり、居室部分６、７の床面上で発生した床衝撃音が厚くなされた床下地板２２で遮断され、居室部分６、７の床衝撃音を低減できる。
【００１４】
請求項４記載の建物の床構造によると、さらに、上階住戸の居室部分と設備室部分のそれぞれの直下に、ほぼ同一の平面プランになされた下階住戸の居室部分と設備室部分とが配置されているので、上階住戸の居室部分で発生した衝撃音が厚くなされた床下地板で遮断され、直下の下階住戸の居室部分に対しての影響を低減できる。
【００１５】
【発明の実施の形態】
以下、本発明に係る建物の床構造の一実施形態を図面に基づき詳細に説明する。図１は、図２のＡ−Ａ線における建物の床構造を示す断面図である。図２は建物の平面図であり、図３は建物の正面図である。
【００１６】
（建物）
先ず、本実施の形態における建物について説明する。図３において、１は建物であって、この建物１は、２階建ての集合住宅であって、１階部分には複数の下階住戸２、２、・・・が水平方向に連接して設けられ、この下階住戸２の上に複数の上階住戸３、３、・・・が設けられている。
上階住戸３と下階住戸２とは、同一の平面プランになされている。すなわち、上階住戸３の居室部分６、７と設備室部分８、９、１０、１１のそれぞれの直下に、同一仕様の下階住戸２の居室部分６、７と設備室部分８、９、１０、１１とが配置されている。
【００１７】
上記居室部分６はリビングルームであり、居室部分７は収納室７１付きの洋室である。
また、上記設備室部分８、９、１０、１１は、いずれも、水回りの設備機器を備えている。
設備室部分８は流し台８１を備えた厨房室であり、設備室部分９は水洗便器９１を備えたトイレ室である。設備室部分１０は浴槽１０１を備えた浴室であり、設備室部分１１は洗面化粧台１１と洗濯機１１２とを備えた洗面室である。
【００１８】
集合住宅である上記建物１は、１階部分と２階部分のそれぞれに、各住戸に共通の廊下４と、各住戸毎のベランダ５、５、・・・とパイプシャフト１２とを備えている。このパイプシャフト１２には、後述する床下の配管２７を集めて収納され、下階住戸２から上階住戸３に通じる縦配管の収納スペースとなっている。
また、各住戸の屋外側は耐火仕様の外壁で囲われ、各住戸間は同じく耐火仕様の界壁で間仕切りされている。
【００１９】
（建物の床構造）
集合住宅である上記建物１の図１に示す床構造は、リビングルームである居室部分６と、この居室部分６に隣接して設けられている洗面室である設備室部分１１について示したものである。
他の居室部分７（洋室）の床構造は、上記居室部分６のものと同様であり、他の設備室部分８（厨房室）、９（トイレ室）、１０（浴室）の床構造は、上記設備室部分１１のものと同様であるので、代表して居室部分６と設備室部分１１について説明する。
【００２０】
本実施の形態の建物１の床構造は、居室部分６においては、Ｈ形鋼で形成された床梁２１と、床梁２１に支持されて設けられた床下地板２２と、床下地板２２の上に設けられ床面を形成する床面材２４とからなり、設備室部分１１においては、同じくＨ形鋼で形成された床梁２１と、床梁２１に支持されて設けられた床下地板２３と、床下地板２３の上に設けられ床面を形成する床面材２５とからなる。
【００２１】
上記建物１の床構造において、居室部分６の床下地板２２は、水回りの設備機器（ここでは、洗面化粧台１１１や洗濯機１１２）を設置した設備室部分１１の床下地板２３より厚くなされている。
上記床下地板２２、２３は、いずれも、ＡＬＣ板（オートクレーブ養生の軽量コンクリート板）で形成されているが、床下地板２２の厚さは１５０ｍｍになされ、床下地板２３の厚さは１００ｍｍになされている。
【００２２】
前記床梁２１は、居室部分６と設備室部分１１のそれぞれの周縁部に対向して配設されている。
図１の紙面上右側で対向する一対の床梁２１、２１の上面に、居室部分６の床下地板２２の両端縁部が支持され、図１の紙面上左側で対向する一対の床梁２１、２１の上面に、設備室部分１１の床下地板２３の両端縁部が支持されている。
なお、居室部分６と設備室部分１１の境界部に設けられている床梁２１（図１の３つの床梁２１の中央の床梁２１）は、共用されている。
【００２３】
設備室部分１１の床面材２５は、木製の板材で形成され、木根太２６を介して設備室部分１１の床下地板２３の上に設けられ、この設備室部分１１の床面材２５と床下地板２３との間に、設備機器（ここでは、洗面化粧台１１１や洗濯機１１２）の配管２７を配設可能な床下配管空間２８（高さ寸法約５０ｍｍ）が形成されている。
【００２４】
また、居室部分６の床面材２４は、前記床面材２５と同様、木製の板材で形成されているが、床根太を設けずに厚肉の床下地板２２の上に直張りされている。
【００２５】
居室部分６の床面材２４と設備室部分１１の床面材２５とは、略同一の水平面上に設けられ、居室部分６から設備室部分１１に通じる開口部における床面は段差なしになっている。
【００２６】
（本実施の形態の作用）
本実施の形態の建物１の床構造によると、居室部分６（または居室部分７）の床下地板２２（厚さ１５０ｍｍ）が、水回りの設備機器を設置した設備室部分１１（または設備室部分８、９、１０）の床下地板２３（厚さ１００ｍｍ）より１．５倍厚くなされているので、質量も１．５倍となり、居室部分６、７の床面上で発生した床衝撃音が厚くなされた床下地板２２で遮断され、居室部分６、７の床衝撃音を低減できる。
【００２７】
さらに、設備室部分１１（または８、９、１０）の床面材２５は、床支持材である床根太２６を介して床下地板２３の上に設けられ、床面材２５と床下地板２３との間に、設備機器の配管２７を配設可能な床下配管空間２８が形成されているので、前記した従来技術のように、床梁に受け材を設ける必要がなく、床構造を簡素化できる。
【００２８】
さらに、居室部分６（または７）の床下地板２２と設備室部分１１（または８、９、１０）の床下地板２３は、床梁２１の上面に支持されているので、床梁にとって不利な捩じれ応力の発生がない。
また、居室部分６（または７）の床面材２４と設備室部分１１（または８、９、１０）の床面材２５とが、略同一の水平面上に設けられているので、居室部分６と設備室部分１１（または８）との間を段差無しにでき、つまずいたりせずに移動が容易である。
【００２９】
さらにまた、上階住戸３の居室部分６、７と設備室部分８〜１１のそれぞれの直下に、同一の平面プランになされた下階住戸２の居室部分６、７と設備室部分８〜１１とが配置されているので、上階住戸３の居室部分６、７で発生した衝撃音が厚くなされた床下地板２２で遮断され、直下の下階住戸２の居室部分６、７に対しての影響を低減できる。
【００３０】
以上、本発明を前記実施の形態に基づいて説明したが、本発明はこの実施の形態に限定されるものではなく、本発明の要旨を変更しない範囲の設計変更があっても本発明に含まれる。例えば、本実施の形態では、建物１が２階建ての集合住宅であったが、戸建ての住宅であってもよい。
【００３１】
【発明の効果】
請求項１記載の建物の床構造によると、居室部分の床衝撃音を低減できる。
【００３２】
請求項２記載の建物の床構造によると、さらに、床梁に受け材を設ける必要がなく、床構造を簡素化できる。
【００３３】
請求項３記載の建物の床構造によると、床下地板の厚みが１．５倍になることで、質量も１．５倍となり、居室部分６、７の床面上で発生した床衝撃音が厚くなされた床下地板２２で遮断され、居室部分６、７の床衝撃音を低減できる。
【００３４】
請求項４記載の建物の床構造によると、さらに、集合住宅の居室部分の床衝撃音を低減できるので、集合住宅の上下、左右で隣接する住戸間の騒音に起因するトラブル発生を少なくできる。
【図面の簡単な説明】
【図１】  本発明に係る一実施の形態であり、図２のＡ−Ａ線における建物の床構造を示す断面図である。
【図２】  建物の平面図である。
【図３】  建物の正面図である。
【符号の説明】
１  建物（集合住宅）
２  下階住戸
３  上階住戸
６  居室部分（リビングルーム）
７  居室部分（洋室）
８  設備室部分（厨房室）
９  設備室部分（トイレ室）
１０  設備室部分（浴室）
１１  設備室部分（洗面室）
２１  床梁
２２、２３  床下地板
２４、２５  床面材
２７  配管
２８  床下配管空間
【図１】
0003877574.tif 000002
【図２】
0003877574.tif 000003
【図３】
0003877574.tif 000004